(57)【要約】【課題】トナーなどの粉体に対する密封性が高く、しかもその密封性を長期にわたって維持可能な粉体用シールを提供する。【解決手段】静止側部材１０１の内周面に密嵌される基部１１１と、この基部１１１の内周から内周側かつ密封空間１０３側へ延在され、静止側部材１０１の内周の回転側部材１０２と摺動可能に密接されるシールリップ１１３からなり、このシールリップ１１３の先端部の外周面が、回転側部材１０２の外周面に対して、軸心Ｏを通る平面上で鈍角αをなして交差する円錐面１１３ｂをなす。このため、密封空間１０３の粉体Ｔの圧力が、シールリップ１１３の先端部を回転側部材１０２の外周面に押し付ける方向に作用する。【選択図】図１
2006170269.tif 000002
【特許請求の範囲】
【請求項１】
静止側部材（１０１）の内周面に密嵌される基部（１１１）と、この基部（１１１）の内周から内周側かつ密封空間（１０３）側へ延在され、前記静止側部材（１０１）の内周の回転側部材（１０２）と摺動可能に密接されるシールリップ（１１３）からなり、このシールリップ（１１３）の先端部の外周面が、前記回転側部材（１０２）の外周面に対して、軸心（Ｏ）を通る平面上で鈍角（α）をなして交差する円錐面（１１３ｂ）をなすことを特徴とする粉体用シール。
【発明の詳細な説明】
【技術分野】
【０００１】
本発明は、回転軸周に装着されるシール装置に関するものであって、例えば複写機、パソコンプリンタ、ファクシミリ等のトナー等、粉体を密封対象とするのに適したものに関する。
【背景技術】
【０００２】
図２は、複写機等の回転軸周にトナーを密封対象として設けられる従来の粉体用シールを、軸心を通る平面で切断して示す断面図である。この図２において、参照符号１０１は軸受部のハウジング、１０２は回転軸、２００は、ハウジング１０１と回転軸１０２との隙間からトナーＴが不図示の軸受部等へ侵入することのないように、これをシールする粉体用シールである。
【０００３】
粉体用シール２００はゴム状弾性材料で成形されたものであって、補強用の金属環２０３が埋設された基部２０１と、その内周から密封対象のトナーＴが存在する空間１０３側が小径となるテーパ状に延在されたシールリップ２０２とからなり、基部２０１がハウジング１０１の内周面に密嵌固定されると共に、シールリップ２０２の先端部が回転軸１０２の外周面に摺動可能に密接される。
【０００４】
しかしながら、この種の粉体用シール２００は、シールリップ２０２の先端のテーパ状立上り面２０２ａに侵入しようとするトナーＴの圧力が、シールリップ２０２を外周側へ浮き上がらせるように作用するので、シールリップ２０２と回転軸１０２との間にトナーが浸入して漏洩し、漏洩トナーによる周辺の汚染や、作動のトラブルを発生させるおそれがあった。
【０００５】
また、このようなトナー漏れを極力防止するための粉体用シールとしては、例えば特許文献１に記載されたものが知られている。この粉体用シールは、シールリップの先端に、薄肉の副リップを形成したものである。
【特許文献１】特開平９−６２０９８号公報
【０００６】
しかしながら、特許文献１に記載された粉体用シールは、トナー圧力によって回転軸に対する薄肉の副リップの摺動負荷が大きくなり、早期に摩耗して、結局トナーの漏れを発生するおそれがある。
【発明の開示】
【発明が解決しようとする課題】
【０００７】
本発明は、以上のような点に鑑みてなされたものであって、その技術的課題は、トナーなどの粉体に対する密封性が高く、しかもその密封性を長期にわたって維持可能な粉体用シールを提供することにある。
【課題を解決するための手段】
【０００８】
上述した技術的課題を有効に解決するための手段として、請求項１の発明に係る粉体用シールは、静止側部材の内周面に密嵌される基部と、この基部の内周から内周側かつ密封空間側へ延在され、前記静止側部材の内周の回転側部材と摺動可能に密接されるシールリップからなり、このシールリップの先端部の外周面が、前記回転側部材の外周面に対して、軸心を通る平面上で鈍角をなして交差する円錐面をなすものである。
【０００９】
すなわち本発明において、密封空間側を向いたシールリップの先端部は、その外周面が、回転側部材の外周面に対して鈍角をなして交差する円錐面をなすことによって、密封空間の粉体の圧力が、シールリップの先端部を回転側部材の外周面に押し付ける方向に作用することになり、粉体がシールリップと回転側部材との摺動部に介入しにくいものとなる。また、シールリップの先端部における回転側部材との摺動面が円筒面状をなすため、摩耗しにくい構造となる。
【発明の効果】
【００１０】
請求項１の発明に係る粉体用シールによれば、粉体に対する優れた密封機能を有し、その密封性能を長期にわたって維持することができる。
【発明を実施するための最良の形態】
【００１１】
以下、本発明に係る粉体用シールの好ましい実施の形態について、図１を参照しながら説明する。図１は、複写機等の回転軸周にトナーを密封対象として設けられる粉体用シールに、本発明を適用した実施の形態を、軸心Ｏを通る平面で切断して示す断面図である。
【００１２】
図１において、参照符号１０１は軸受部のハウジング、参照符号１０２は、このハウジング１０１の内周に挿通され、不図示の軸受を介して支持された回転軸で、その軸心Ｏの周りに回転可能となっている。図１における右側の空間（以下、密封空間という）１０３に、密封対象の粉体であるトナーＴが存在している。なお、ハウジング１０１は請求項１に記載された静止側部材に相当し、回転軸１０２は、請求項１に記載された回転側部材に相当する。
【００１３】
粉体用シール１０は、トナーＴを密封対象とするもので、シール本体１１と、このシール本体１１に埋設された補強環１２からなる。
【００１４】
シール本体１１は、ゴム状弾性材料からなるものであって、筒状の基部１１１と、この基部１１１における背面側の端部（密封空間１０３と反対側となる図中左側の端部）から内周側へ延在された径方向部１１２と、その内周からトナーＴが存在する密封空間１０３側へ向けて延在されたシールリップ１１３とを有する。また、補強環１２は、金属板の打ち抜きプレス等によって製作されたものであって、シール本体１１の基部１１１に埋設された筒状部１２１と、シール本体１１の径方向部１１２に埋設された径方向部１２２からなる断面Ｌ字形をなす。
【００１５】
シール本体１１における基部１１１は、補強環１２における筒状部１２１の外周側の部分が、ハウジング１０１の内周面に適当な締め代をもって圧入され、シール本体１１におけるシールリップ１１３は、密封空間１０３側を向いた先端部の内周面１１３ａが、円筒面状をなして回転軸１０２の外周面に摺動可能に密接され、先端部の外周面が、回転軸１０２の外周面に対して、軸心Ｏを通る平面上で鈍角αをなして交差する円錐面１１３ｂをなしている。このため、シールリップ１１３の先端部は、先端縁１１３ｃへ向けて肉厚が漸次減少する鋭角状の断面形状をなしている。
【００１６】
以上の構成において、密封空間１０３内のトナーＴの圧力は、図１に白抜き矢印で示すように、シールリップ１１３の外周円錐面１１３ｂに直角に作用するため、回転軸１０２の外周面に対するシールリップ１１３の内周面１１３ａの面圧を増大させる。したがって、トナーＴがシールリップ１１３と回転軸１０２との摺動部に介入しにくくなり、トナーＴの漏洩による周辺の汚染や、作動トラブルの発生を有効に防止することができる。
【００１７】
また、シールリップ１１３の先端部は、薄肉の先端縁１１３ｃのみが回転軸１０２の外周面と摺動するのではなく、円筒面状をなす内周面１１３ａの全域で摺動するため、摩耗しにくくなる。しかも、摩耗してもシールリップ１１３の先端部の断面形状は、初期形状と同様であるため、密封性の低下が抑えられる。
【図面の簡単な説明】
【００１８】
【図１】本発明に係る粉体用シールの好ましい実施の形態を、軸心Ｏを通る平面で切断して示す断面図である。
【図２】従来の粉体用シールを、軸心Ｏを通る平面で切断して示す断面図である。
【符号の説明】
【００１９】
１０  粉体用シール
１１  シール本体
１１１  基部
１１２  径方向部
１１３  シールリップ
１１３ａ  内周面
１１３ｂ  円錐面
１２  補強環
１２１  筒状部
１２２  径方向部
１０１  ハウジング（静止側部材）
１０２  回転軸（回転側部材）
１０３  密封空間
Ｔ  トナー（粉体）
【図１】
2006170269.tif 000003
【図２】
2006170269.tif 000004